(57)【要約】  第１のユーザ機器（ＵＥ）装置が、基地局のサービスエリア（例えば、セル）内のＵＥ装置にポイントツーマルチポイント（ＰＴＭ）適合サービスを提供する基地局から受信したパケットを復号することができない場合、第１のＵＥ装置はパケットの再送信要求を送信する。一例では、再送信要求は、端末間（Ｄ２Ｄ）送信を介して１つ又は複数の近隣のＵＥ装置に送信される。再送信要求に応じて、同一のパケットを正常に復号することができた近隣のＵＥ装置のうちの１つ又は複数は、Ｄ２Ｄ通信リンクを介して第１のＵＥ装置にパケットを再送信する。
2019528593.tif 000002
【特許請求の範囲】
【請求項１】
第１のユーザ機器（ＵＥ）装置がパケットを受信することと、
前記第１のＵＥ装置が、前記パケットを復号することを試行することと、
前記パケットを復号することを試行することが失敗したことに応じて前記パケットの再送信要求を送信することと、
前記第１のＵＥ装置が、第１のＤ２Ｄ通信リンクを介して第２のＵＥ装置から前記パケットの再送信を受信することと、を含む、方法。
【請求項２】
前記再送信要求が、端末間（Ｄ２Ｄ）送信を介して送信される、請求項１に記載の方法。
【請求項３】
前記Ｄ２Ｄ送信が、Ｄ２Ｄ発見送信とＤ２Ｄ通信リンクを介したＤ２Ｄ送信とのうちの少なくとも一方を含む、請求項２に記載の方法。
【請求項４】
前記第１のＵＥ装置がＩＤＬＥ状態にある間に前記Ｄ２Ｄ送信が行われる、請求項２に記載の方法。
【請求項５】
前記再送信要求が、再送信される前記パケットのパケット識別子、ＵＥ識別子（ＵＥ  ＩＤ）、近傍サービス識別子（ＰｒｏＳｅ  ＩＤ）、再送信のためのＤ２Ｄリソース位置、及びグループ識別子のうちの１つ又は複数を含む、請求項１に記載の方法。
【請求項６】
前記第２のＵＥ装置が前記再送信要求を受信することと、
受信された前記再送信要求の信号強度を閾値と比較することと、
前記信号強度が前記閾値を超える場合に、前記第１のＤ２Ｄ通信リンクを介して前記第１のＵＥ装置に前記パケットを再送信することと、を更に含む、請求項１に記載の方法。
【請求項７】
前記第２のＵＥ装置が前記再送信要求を受信することと、
前記再送信要求が再送信時間ウィンドウ内で受信されたかどうかを判定することと、
前記再送信要求が前記再送信時間ウィンドウ内で受信された場合に、前記第１のＤ２Ｄ通信リンクを介して前記第１のＵＥ装置に前記パケットを再送信することと、を更に含む、請求項１に記載の方法。
【請求項８】
前記第１のＵＥ装置及び前記第２のＵＥ装置が特定のグループ識別子に関連付けられた同一のブロードキャストサービスに関心がある場合に、前記第２のＵＥ装置が前記パケットを再送信する、請求項５に記載の方法。
【請求項９】
前記第２のＵＥ装置がＩＤＬＥ状態にある間に前記Ｄ２Ｄ送信が行われる、請求項８に記載の方法。
【請求項１０】
前記第２のＵＥ装置が前記第１のＵＥ装置に既に前記パケットを再送信したかどうかを判定することと、
前記第２のＵＥ装置が既に前記パケットを再送信していると判定することに応じて、第３のＵＥ装置が、前記第１のＵＥ装置に前記パケットを再送信することを控えることと、を更に含む、請求項１に記載の方法。
【請求項１１】
前記第１のＵＥ装置が、第２のＤ２Ｄ通信リンクを介して第３のＵＥ装置から前記パケットの再送信を受信することを更に含む、請求項１に記載の方法。
【請求項１２】
第１のユーザ機器（ＵＥ）装置であって、
パケットを受信するように構成された受信部と、
前記パケットを復号するように構成された制御部と、
前記パケットを復号することを試行することが失敗したことに応じて再送信要求を送信するように構成された送信部と、を含む、第１のＵＥ装置を備え、
前記受信部が、第１のＤ２Ｄ通信リンクを介して第２のＵＥ装置から前記パケットの再送信を受信するように更に構成されている、システム。
【請求項１３】
前記再送信要求が、端末間（Ｄ２Ｄ）送信を介して送信される、請求項１２に記載のシステム。
【請求項１４】
前記Ｄ２Ｄ送信が、Ｄ２Ｄ通信リンクを介したＤ２Ｄ送信とＤ２Ｄ発見送信とのうちの少なくとも一方を含む、請求項１３に記載のシステム。
【請求項１５】
前記第１のＵＥ装置がＩＤＬＥ状態にある間に前記Ｄ２Ｄ送信が行われる、請求項１３に記載のシステム。
【請求項１６】
前記再送信要求が、再送信される前記パケットのパケット識別子、ＵＥ識別子（ＵＥ  ＩＤ）、近傍サービス識別子（ＰｒｏＳｅ  ＩＤ）、再送信のためのＤ２Ｄリソース位置、及びグループ識別子のうちの１つ又は複数を含む、請求項１２に記載のシステム。
【請求項１７】
第２のＵＥ装置であって、
前記再送信要求を受信するように構成された受信部と、
受信された前記再送信要求の信号強度を閾値と比較するように構成された制御部と、
前記信号強度が前記閾値を超える場合に、前記第１のＤ２Ｄ通信リンクを介して前記第１のＵＥ装置に前記パケットを再送信するように構成された送信部と、を含む、第２のＵＥ装置を更に備える、請求項１２に記載のシステム。
【請求項１８】
第２のＵＥ装置であって、
前記再送信要求を受信するように構成された受信部と、
前記再送信要求が再送信時間ウィンドウ内で受信されたかどうかを判定するように構成された制御部と、
前記再送信要求が前記再送信時間ウィンドウ内で受信された場合に、前記第１のＤ２Ｄ通信リンクを介して前記第１のＵＥ装置に前記パケットを再送信するように構成された送信部と、を含む、第２のＵＥ装置を更に備える、請求項１２に記載のシステム。
【請求項１９】
前記第２のＵＥ装置の前記送信部が、特定のグループ識別子に関連付けられた同一のブロードキャストサービスに前記第１のＵＥ装置及び前記第２のＵＥ装置が関心がある場合に前記パケットを再送信するように構成されている、請求項１６に記載のシステム。
【請求項２０】
第３のＵＥ装置であって、
前記第２のＵＥ装置が前記第１のＵＥ装置に既に前記パケットを再送信したかどうかを判定するように構成された制御部と、
前記第２のＵＥ装置が既に前記パケットを再送信していると判定することに応じて、前記第１のＵＥ装置に前記パケットを再送信することを控えるように構成された送信部と、を含む、第３のＵＥ装置を更に備える、請求項１２に記載のシステム。
【請求項２１】
前記第１のＵＥ装置の前記受信部が、第２のＤ２Ｄ通信リンクを介して第３のＵＥ装置から前記パケットの再送信を受信するように更に構成されている、請求項１２に記載のシステム。
【発明の詳細な説明】
【優先権の主張】
【０００１】
本出願は、本明細書の譲受人に譲渡され、全体が参照により本明細書により明示的に援用されている、２０１６年７月２８日に出願された、発明の名称が「近隣のＵＥの支援を受けたロバストなマルチキャスト、ＳＣ−ＰＴＭ、及びブロードキャスト配信」である仮出願第６２／３６７，９８２号の優先権を主張する。
【技術分野】
【０００２】
本発明は、全般的には無線通信に関し、具体的には無線アクセスネットワークにおけるパケットの再送信に関する。
【背景技術】
【０００３】
マルチメディア・ブロードキャスト・マルチキャスト・サービス（ＭＢＭＳ）は、第３世代パートナーシップ・プロジェクト（３ＧＰＰ）のセルラネットワーク内で、ブロードキャスト、及びマルチキャストのサービスの効率的な配信を提供するように設計された、ポイントツーマルチポイント（ＰＴＭ）インターフェイスの仕様である。ＭＢＭＳインターフェイス仕様の例としては、ユニバーサル移動体通信システム（ＵＭＴＳ）及びロングタームエボリューション（ＬＴＥ）の通信仕様にて記載されているものが挙げられる。複数セルにわたるブロードキャスト送信について、これらの仕様書では、単一周波数ネットワーク構成による送信が定義されている。意図されている用途としては、携帯型ＴＶ、ニュース、ラジオ放送、ファイル送信、緊急時警告などが挙げられる。ＭＢＭＳによりサービスをブロードキャストする場合、ＭＢＳＦＮ（マルチメディア・ブロードキャスト・マルチキャスト・サービス単一周波数ネットワーク）エリア内のすべてのセルが、同一のＭＢＭＳサービスを送信する。
【０００４】
ユーザは、通信システム内の基地局と通信する無線送受信機を備えた無線通信デバイス（携帯電話、タブレット、ラップトップ、及び他のデバイスなど）を介して、これらのサービスにアクセスして、ＭＢＭＳコンテンツを受け取る。（ｅＮｏｄｅＢ又はｅＮＢと呼ぶ場合もある）基地局は、セル内の（ユーザ機器（ＵＥ）と呼ぶ場合もある）無線通信デバイスに無線サービスを提供する。
【０００５】
ユーザは、ＵＥ装置を介して、ポイントツーポイント（ＰＴＰ）接続又はポイントツーマルチポイント（ＰＴＭ）送信のいずれか一方を用いて、少なくとも一部のマルチメディアサービスにアクセス可能である。３ＧＰＰシステムでは、ＰＴＰサービスは、ユニキャスト技術を用いて提供されることができ、ＰＴＭ送信は、ＭＢＭＳ通信を用いて提供されることができ、マルチキャスト・ブロードキャスト単一周波数ネットワーク（ＭＢＳＦＮ）、又は単一セル−ポイントツーマルチポイント（ＳＣ−ＰＴＭ）通信によって送信される。３ＧＰＰのロングタームエボリューション（ＬＴＥ）通信仕様の改訂版に従って動作するシステムにおいては、ＭＢＭＳは、ｅＭＢＭＳを使用して提供される。したがって、ＬＴＥシステムでは、ユニキャストサービス、ＭＢＳＦＮ、又はＳＣ−ＰＴＭのいずれかにより、ＰＴＭ適合サービスの提供が可能である。
【発明の概要】
【０００６】
第１のユーザ機器（ＵＥ）装置が、基地局のサービスエリア（例えば、セル）内のＵＥ装置にポイントツーマルチポイント（ＰＴＭ）適合サービスを提供する基地局から受信したパケットを復号することができない場合、第１のＵＥ装置はパケットの再送信要求を送信する。一例では、再送信要求は、端末間（Ｄ２Ｄ）送信を介して１つ又は複数の近隣のＵＥ装置に送信される。再送信要求に応じて、同一のパケットを正常に復号することができた近隣のＵＥ装置のうちの１つ又は複数は、Ｄ２Ｄ通信リンクを介して第１のＵＥ装置にパケットを再送信する。
【図面の簡単な説明】
【０００７】
【図１】第１のユーザ機器（ＵＥ）装置が第２のＵＥ装置から再送信を受信する一例についての通信システムのブロック図である。
【０００８】
【図２Ａ】図１に示す基地局の一例のブロック図である。
【０００９】
【図２Ｂ】図１に示すＵＥ装置の一例のブロック図である。
【００１０】
【図３】第１のＵＥ装置が第２のＵＥ装置から再送信を受信する方法の一例のフローチャートである。
【００１１】
【図４】第３のＵＥ装置が第１のＵＥ装置にパケットを再送信すべきかどうかの判定を行う方法の一例のフローチャートである。
【発明を実施するための形態】
【００１２】
ブロードキャスト、マルチキャスト、又はシングルセルポイントツーマルチポイント（ＳＣ−ＰＴＭ）送信は、目標数のユーザ機器（ＵＥ）装置がデータパケットを正常に復号することができるように設計されている。ＳＣ−ＰＴＭを含むすべての既存のブロードキャストメカニズムと同様に、ブロードキャストはセル内のすべてのＵＥ装置に到達することが保証されていない。大抵の場合、ブロードキャスト送信は、セル内のＵＥ装置の９５％に対してブロック誤り率（ＢＬＥＲ）＜１％となるように設計されている。
【００１３】
より高いロバスト性が必要とされ、かつ最悪のチャネル状態情報が（例えば、チャネル状態情報（ＣＳＩ）フィードバックを用いて）利用可能である場合、１つの実行可能な解決策は基地局がそれらのチャネル状態を克服するのに十分ロバストにデータを送信することである。しかしながら、セルエッジに位置するＵＥ装置がブロードキャストを正常に受信することが可能となるようにブロードキャストデータをより低い変調符号化方式（ＭＣＳ）で送信する必要がある場合、これは追加のリソースを必要とする場合がある。あるいは、より高い電力のブロードキャスト送信を使用してもよいが、送信電力の増加は、ＭＢＭＳサービス領域（例えば、ＳＣ−ＰＴＭの場合、サービス領域はＳＣ−ＰＴＭ送信によってサービスされている単一セルである）の外側に位置するセルへの干渉の増加をもたらす場合がある。
【００１４】
より高いブロードキャストロバスト性のための他の手法は、データを正常に復号することができなかったＵＥ装置からのハイブリッド自動再送要求（ＨＡＲＱ）フィードバックの使用に基づく。例えば、ＵＥ装置がデータパケットを復号することができない場合、ＵＥ装置は、データパケットを送信した基地局に否定応答（ＮＡＣＫ）信号（例えば、ＨＡＲＱフィードバック）を送信する。次いで、基地局は、ＵＥ装置が再送信パケットを正常に復号することができる確率を高めるために再送信にリンク適応を適用することができる。
【００１５】
ただし、いくつかの要因を考慮する必要がある。第１に、ブロードキャストデータの特性に起因して、ＨＡＲＱ再送信のための時間は非常に限られており、最大でも数十ミリ秒であり得る。例えば、ＵＥ装置はＮＡＣＫを送信しなければならず、基地局はＨＡＲＱ再送信の導入が妥当となるのに十分な速さでパケットを再送信しなければならない。第２に、複数のＵＥ装置からのＨＡＲＱフィードバックの受信を処理する複雑さの増加があり、そもそもＨＡＲＱフィードバックを利用することによって達成される利益が妥当とならない可能性がある。
【００１６】
ＨＡＲＱフィードバック及び／又はＣＳＩフィードバックの使用に関する別の問題は、ＩＤＬＥ  ＵＥ装置がＳＣ−ＰＴＭ送信を受信することもあるため、ＩＤＬＥ状態にあるＵＥ装置への適用性が欠如することである。例えば、ＩＤＬＥ  ＵＥ装置が基地局にＮＡＣＫを送信する必要がある場合、ＩＤＬＥ  ＵＥ装置は、ＩＤＬＥ状態から、ＮＡＣＫを送信するために必要とされるＣＯＮＮＥＣＴＥＤ状態に遷移するために、ネットワークに接続要求を送信しなければならない。ＵＥ装置がＨＡＲＱ又はＣＳＩフィードバックを提供することができるようにそのような遷移が可能であるが、ＵＥ装置が基地局にフィードバックを送信することを可能にするという目的のためだけにＵＥ装置をＣＯＮＮＥＣＴＥＤ状態に遷移させるためにシグナリングを増加させることは妥当でない。
【００１７】
本明細書で論じる例では、基地局の代わりに近隣のＵＥ装置のうちの１つ又は複数が再送信を実行する。ＵＥ装置が基地局からのブロードキャスト、マルチキャスト、又はＳＣ−ＰＴＭ送信で受信したパケットをＵＥ装置が復号することができない場合、ＵＥ装置は再送信要求を送信する。一例では、再送信要求は、端末間（Ｄ２Ｄ）通信リンク又はＤ２Ｄ発見信号を介して１つ又は複数の近隣のＵＥ装置に送信される。再送信要求に応じて、再送信を要求しているＵＥ装置が復号することができなかった同一のデータパケットを復号することができた近隣のＵＥ装置のうちの１つ又は複数は、再送信を要求しているＵＥ装置にＤ２Ｄ通信リンクで同一のデータパケットを再送信する。
【００１８】
近隣のＵＥ装置からの再送信は、基地局からの再送信に勝るいくつかの利点を有し得る。第１に、ＵＥ端末間の距離は、基地局と再送信を要求しているＵＥ装置との間の距離よりも小さくすることができ、これは再送信を要求しているＵＥ装置による再送信パケットの受信を容易にする。第２に、再送信を要求しているＵＥ装置に最も近く、かつ／又は当該ＵＥ装置への最良の信号経路を有する近隣のＵＥ装置が再送信を実行するために選択されるようにシステムをセットアップすることができる。第３に、他の例では、複数の近隣のＵＥ装置は、要求しているＵＥ装置にパケットを再送信して、要求しているＵＥ装置に送信ダイバーシティを提供することができる。第４に、再送信は近隣のＵＥ装置からであって基地局からのものではないため、再送信を要求しているＵＥ装置がＳＣ−ＰＴＭのための既存の制御情報を用いて再送信の適切なシステムタイミングを決定する必要はない。それどころか、再送信パケットの受信は、これらの再送信パケットの受信を調整するために、Ｄ２Ｄメカニズム及び上位層に完全に依存することになる。これは、近隣のＵＥ装置からのＤ２Ｄ再送信が、基地局によって設定されたＳＣ−ＰＴＭ再送信の周期性と比較した場合に、要求しているＵＥ装置が再送信パケットを正常に受信する待ち時間を実際に低減することができるため、重要である。
【００１９】
図１は、第１のユーザ機器（ＵＥ）装置が第２のＵＥ装置から再送信を受信する一例についての通信システムのブロック図である。通信システム１００は無線アクセスネットワーク（図示せず）の一部であり、無線アクセスネットワークは、無線アクセスネットワークの一部である様々な基地局のそれぞれのサービスエリア内に位置するＵＥ装置に様々な無線サービスを提供する。基地局１０２は、下りリンク信号１０４を介してＵＥ装置１０６、１０８、１１０に無線サービスを提供する。
【００２０】
明確さと簡潔さのために、通信システム１００は、セル１１２内に位置するＵＥ装置１０６、１０８、１１０に無線サービスを提供する単一の基地局１０２を有するものとして示されている。ただし、他の例では、通信システム１００は任意の適切な数の基地局を有してもよい。図１の例では、セル１１２は円で表されているが、通常の通信システム１００であれば、様々な形状の地理的サービスエリアを有する複数のセルを有してもよい。ｅＮｏｄｅＢ又はｅＮＢと呼ばれることもある基地局１０２は、無線ユーザ機器（ＵＥ）装置１０６、１０８、１１０と、ＵＥ装置１０６、１０８、１１０に下りリンク信号１０４を送信し、ＵＥ装置１０６、１０８、１１０から送信された上りリンク信号を受信することによって通信する。ＵＥ装置１０６、１０８、１１０は、例えば、携帯電話、送受信機モデム、携帯情報端末（ＰＤＡ）、及びタブレットなどの任意の無線通信デバイスである。
【００２１】
基地局１０２は、既知の技術に従ってバックホール（図示せず）を介してネットワークに接続されている。図２Ａに示すように、基地局１０２は、制御部２０４、送信部２０６、及び受信部２０８、並びに他の電子装置、ハードウエア、及びコードを含む。基地局１０２は、本明細書で説明する機能を実行する任意の固定式、移動式、又は携帯型の機器である。基地局１０２を参照して説明するブロックの多様な機能及び動作は、任意の数のデバイス、回路、又は要素において実装されてもよい。機能ブロックのうちの２つ以上は単一の装置に統合されてもよく、任意の単一の装置において実行されるように説明される機能は、複数の装置にわたって実装されてもよい。
【００２２】
図２Ａに示す例では、基地局１０２は、固定されたデバイス、又はシステム展開時に特定の位置に設置される装置であってもよい。このような機器の例には、固定基地局又は固定送受信局が挙げられる。状況によっては、基地局１０２は、特定の位置に一時的に設置される移動機器であってもよい。このような機器の例には、発電機、太陽光パネル、及び／又はバッテリなどの発電装置を含むことができる移動送受信局が含まれる。大重量型のこのような装置は、トレーラーによって輸送することができる。更に他の状況では、基地局１０２は、任意の特定の位置に固定されない携帯型装置であってもよい。したがって、基地局１０２は、環境によっては、ＵＥ装置などの携帯型ユーザ装置であってもよい。
【００２３】
制御部２０４は、本明細書で説明する機能を実行し、かつ基地局１０２の機能全体を促進する、ハードウエア、ソフトウエア、及び／又はファームウエアの任意の組み合わせを含む。適切な制御部２０４の一例は、メモリに接続されたマイクロプロセッサ又はプロセッサ装置上で動作するコードを含む。送信部２０６は、無線信号を送信するように構成された電子装置を含む。状況によっては、送信部２０６は、複数の送信部を含むことができる。受信部２０８は、無線信号を受信するように構成された電子装置を含む。状況によっては、受信部２０８は、複数の受信部を含むことができる。受信部２０８及び送信部２０６は、それぞれ、アンテナ２１０を介して信号を受信及び送信する。アンテナ２１０は、別個の送信アンテナ及び受信アンテナを含むことができる。状況によっては、アンテナ２１０は、複数の送信アンテナ及び受信アンテナを含むことができる。
【００２４】
図２Ａの例の送信部２０６及び受信部２０８は、変調及び復調を含む高周波（ＲＦ）処理を実行する。したがって、受信部２０８は、低雑音増幅器（ＬＮＡ）及びフィルタなどの構成要素を含むことができる。送信部２０６は、フィルタ及び増幅器を含むことができる。他の構成要素には、アイソレータ、整合回路、及びその他のＲＦ構成要素が含まれてもよい。これらの構成要素は、他の構成要素と組み合わせて又は協働で、基地局の機能を実行する。必要な構成要素は、基地局によって必要とされる特定の機能に依存してもよい。
【００２５】
送信部２０６は変調器（図示せず）を含み、受信部２０８は復調器（図示せず）を含む。変調器は、下りリンク信号１０４の一部として送信される信号を変調し、複数の変調次数のうちの任意の１つを適用することができる。復調器は、複数の変調次数のうちの１つに従って、基地局１０２で受信された任意の信号を復調する。
【００２６】
図１に戻って、通信システム１００は、基地局１０２を介して様々な無線サービスをＵＥ装置１０６、１０８、１１０に提供する。例えば、基地局１０２は、ブロードキャスト、マルチキャスト、及び／又はシングルセルポイントツーマルチポイント（ＳＣ−ＰＴＭ）送信１０４を介して、ポイントツーマルチポイント（ＰＴＭ）適合サービスをＵＥ装置１０６、１０８、１１０に提供する。本明細書で述べられるように、ＰＴＭ適合サービスは、ＰＴＭ技術によって提供し得るデータ、通信、サービス、及び／又はコンテンツの任意の組み合わせである。多くの場合、ＰＴＭ適合サービスは、マルチキャスト・ブロードキャスト単一周波数ネットワーク（ＭＢＳＦＮ）、単一セル・ポイントツーマルチポイント（ＳＣ−ＰＴＭ）サービス、及び／又はポイントツーポイント（ＰＴＰ）技術を用いるユニキャストサービスによる、マルチメディア・ブロードキャスト・マルチキャスト・サービス（ＭＢＭＳ）で、提供され得る。ＰＴＭ適合サービスの例の一部としては、携帯型ＴＶ、ニュース、ラジオ放送、ファイル送信、緊急時警告などが挙げられる。本明細書に記載する例においては、通信システム１００は、第３世代パートナーシップ・プロジェクトのロングタームエボリューション（３ＧＰＰ  ＬＴＥ）通信仕様書の少なくとも１つの改訂版に従って動作し、拡張ＭＢＭＳ（ｅＭＢＭＳ）、ＳＣ−ＰＴＭ、及びユニキャストなどのＭＢＳＦＮによるＭＢＭＳを少なくとも用いて、ＰＴＭ適合サービスを提供することができる。状況によっては、他の機構を使用してもよい。
【００２７】
第１のＵＥ装置１０６は、図２Ｂに示すように、アンテナ２１２及び受信部２１４を介して下りリンク信号１０４を受信する。図２Ｂは、第１のＵＥ装置１０６の回路及び構成を具体的に示しているが、同一のＵＥ装置の回路及び構成が、通信システム１００内の第２のＵＥ装置１０８及び第３のＵＥ装置１１０に利用される。第１のＵＥ装置１０６は、アンテナ２１２及び受信部２１４に加えて、制御部２１６及び送信部２１８、並びに他の電子装置、ハードウエア、及びコードを更に備える。第１のＵＥ装置１０６は、本明細書で説明する機能を実行する任意の固定式、移動式、又は携帯型の機器である。第１のＵＥ装置１０６を参照して説明するブロックの種々の機能及び動作は、任意の数の装置、回路、又は素子において実装されてもよい。機能ブロックのうちの２つ以上は単一の装置に統合されてもよく、任意の単一の装置において実行されるように説明される機能は、複数の装置にわたって実装されてもよい。
【００２８】
制御部２１６は、本明細書で説明する機能を実行し、かつＵＥ装置の機能全体を促進する、ハードウエア、ソフトウエア、及び／又はファームウエアの任意の組み合わせを含む。適切な制御部２１６の一例は、メモリに接続されたマイクロプロセッサ又はプロセッサ装置上で動作するコードを含む。送信部２１８は、無線信号を送信するように構成された電子装置を含む。状況によっては、送信部２１８は、複数の送信部を含むことができる。受信部２１４は、無線信号を受信するように構成された電子装置を含む。状況によっては、受信部２１４は、複数の受信部を含むことができる。受信部２１４及び送信部２１８は、それぞれ、アンテナ２１２を介して信号を受信及び送信する。アンテナ２１２は、別個の送信アンテナ及び受信アンテナを含むことができる。状況によっては、アンテナ２１２は、複数の送信アンテナ及び受信アンテナを含むことができる。
【００２９】
図２Ｂの例の送信部２１８及び受信部２１４は、変調及び復調を含む高周波（ＲＦ）処理を実行する。したがって、受信部２１４は、低雑音増幅器（ＬＮＡ）及びフィルタなどの構成要素を含むことができる。送信部２１８は、フィルタ及び増幅器を含むことができる。他の構成要素には、アイソレータ、整合回路、及びその他のＲＦ構成要素が含まれてもよい。これらの構成要素は、他の構成要素との組み合わせ又は協働で、ＵＥ装置機能を実行する。必要な構成要素は、ＵＥ装置によって必要とされる特定の機能に依存し得る。
【００３０】
送信部２１８は変調器（図示せず）を含み、受信部２１４は復調器（図示せず）を含む。変調器は、上りリンク信号（図示せず）及び／又は図１に示すＤ２Ｄ送信１１６の一部として送信される信号を変調するために、複数の変調次数のうちの任意の１つを適用することができる。復調器は、複数の変調次数のうちの１つに従って下りリンク信号１０４を復調する。
【００３１】
下りリンク信号１０４を受信すると、第１のＵＥ装置１０６は下りリンク信号１０４を復調し、これはセル１１２内のＵＥ装置１０６、１０８、１１０に提供されている無線サービスのうちの少なくとも１つに関するデータを含む符号化データパケットを生成する。第１のＵＥ装置１０６は、制御部２１６を使用して、符号化データパケットのうちの少なくとも１つを復号することを試行する。データパケットが正常に復号された場合、第１のＵＥ装置１０６は、適切な方法で、復号されたデータを第１のＵＥ装置１０６のユーザに提示する。例えば、音声データは音声ファイル及び／又は出力として提示され、テキストデータはテキストファイル及び／又は出力として提示され、ビデオデータはビデオファイル及び／又は出力として提示される。
【００３２】
しかしながら、第１のＵＥ装置１０６が符号化データパケットのうちの少なくとも１つを正常に復号することができない場合、第１のＵＥ装置１０６は、近隣のＵＥ装置１０８、１１０のうちの１つ又は複数に再送信要求を送信する。図１に示す例では、再送信要求は、下りリンク信号１０４に含まれる符号化データパケットのうちの少なくとも１つが正常に復号されなかったことを示す否定応答（ＮＡＣＫ）信号である。再送信要求はいくつかの異なる方法で送信することができる。
【００３３】
図１に示す例では、第１のＵＥ装置１０６は、送信部２１８及びアンテナ２１２を使用して、近隣のＵＥ装置１０８、１１０のうちの少なくとも１つに再送信要求を送信する。近隣のＵＥ装置１０８、１１０のうちの少なくとも１つは、当該ＵＥ装置自体のアンテナ２１２及び受信部２１４を使用して再送信要求を受信するように構成されている。図１の例では、再送信要求は端末間（Ｄ２Ｄ）送信１１６である。Ｄ２Ｄ送信１１６は、送信部２１８及びアンテナ２１２を使用して第１のＵＥ装置１０６から送信される。Ｄ２Ｄ送信１１６は、Ｄ２Ｄ発見送信、及び（２）Ｄ２Ｄ通信リンクを介したＤ２Ｄ送信のうちの少なくとも一方とすることができる。図１の例では、第２のＵＥ装置１０８は、第１のＵＥ装置１０６からＤ２Ｄ送信１１６を受信する。第２のＵＥ装置１０８は、当該第２のＵＥ装置自体のアンテナ２１２及び受信部２１４を使用してＤ２Ｄ送信１１６を受信する。
【００３４】
再送信要求を送信する方法にかかわらず、再送信要求は、再送信されるべきパケットのパケット識別子、ＵＥ識別子（ＵＥ  ＩＤ）、近傍サービス識別子（ＰｒｏＳｅ  ＩＤ）、再送信のためのＤ２Ｄリソース位置、及びグループ識別子のうちの１つ又は複数を含み得る。ＰｒｏＳｅは，ＬＴＥデバイスが互いを検出して直接通信することができるようにするＤ２Ｄテクノロジである。グループ識別子は、一時的モバイルグループアイデンティティ（ＴＭＧＩ）及び／又はグループ無線ネットワーク一時識別子（Ｇ−ＲＮＴＩ）情報であり得る。これら2つのグループ識別子は、特定のブロードキャストサービスに関連付けられるように図られる。基地局はまた、各ＵＥ装置が各特定のＵＥ装置のユーザにとって関心があると識別されたサービスをモニタするだけでよいように、この情報を放送関連制御情報内に提供する。使用されるグループ識別子にかかわらず、第２のＵＥ装置１０８の送信部２１８は、一部の例において、第１のＵＥ装置１０６及び第２のＵＥ装置１０８がグループ識別子によって識別される同一のブロードキャストサービスに関心がある場合、パケットを再送信するように設定され得る。したがって、第１のＵＥ装置及び第２のＵＥ装置が両方とも同一のブロードキャストサービスをモニタしている場合、第２のＵＥ装置１０８は、第１のＵＥ装置１０６が復号することができなかったパケットを既に受信していたはずである。しかしながら、場合によっては、近隣のＵＥ装置１０８、１１０のいずれも、第１のＵＥ装置１０６と同一のサービスに関心がない。したがって、これらの場合において、近隣のＵＥ装置１０８が、要求されたパケットの再送信を提供した他のＵＥ装置１１０はないことを認識する場合、近隣のＵＥ装置１０８は、スケジュールされた再送信のうちの１つにおいて、要求されたパケットをｅＮＢ１０２から受信し、要求されたパケットを第１のＵＥ装置１０６に中継する選択肢を有する。前述の項目のそれぞれは、（１）どの（複数の）パケットを再送信すべきか、（２）要求された（複数の）パケットを再送信すべきかどうか、及び／又は（３）要求されたパケットを第１のＵＥ装置１０６に再送信すべき方法の、近隣のＵＥ装置１０８、１１０のうちの１つ又は複数による決定を容易にすることができる。
【００３５】
第２のＵＥ装置１０８は、再送信要求を受信すると、要求されたパケットを第１のＵＥ装置１０６に再送信すべきかどうかを判定する。第２のＵＥ装置１０８は、この判定をするために異なる基準を使用し得る。例えば、第２のＵＥ装置１０８は、当該第２のＵＥ装置自体の制御部２１６を使用して、再送信のための受信した要求の信号強度を閾値と比較してもよく、信号強度が閾値を超える場合、要求されたパケットを第１のＵＥ装置１０６に再送信する。一例では、閾値は、信号対干渉雑音比（ＳＩＮＲ）の閾値である。ただし、他の任意の適切な閾値を使用することができると考えられる。使用する閾値にかかわらず、第２のＵＥ装置１０８は、受信した再送信要求の信号強度が閾値を超える場合、当該第２のＵＥ装置１０８の送信部２１８及びアンテナ２１２を利用して、第１のＤ２Ｄ通信リンク１１８を介して、要求されたパケットを第１のＵＥ装置１０６に再送信する。
【００３６】
あるいは、又は上述の閾値判定に加えて、第２のＵＥ装置１０８は、当該第２のＵＥ装置１０８自体の制御部２１６を使用して、再送信要求が再送信時間ウィンドウ内で受信されたかどうかを判定してもよく、再送信時間ウィンドウ内で再送信要求が受信された場合に第２のＵＥ装置１０８が要求されたパケットを第１のＵＥ装置１０６に再送信することとなる。再送信タイムウィンドウは、再送信パケットの受信の有効時間後に近隣のＵＥ装置１０８、１１０がパケットを再送信しないことを確実にするように設定することができるので重要である。例えば、モバイルＴＶでは、要求されたパケットが、第１のＵＥ装置１０６のユーザによって既に見られているモバイルＴＶのビデオフレームに対するものである場合、当該パケットを再送信するとすれば近隣のＵＥ装置１０８、１１０のいずれにとってもリソースの浪費であると考えられる。言い換えれば、パケットを復号し、第１のＵＥ装置１０６のユーザに当該ユーザにとって有効である時間に提示するのに十分な時間をかけて、要求されたパケットを第１のＵＥ装置１０６に再送信することができない場合、パケットは送信されない。再送信要求が再送信時間ウィンドウ内で受信されたとの判定がなされると、第２のＵＥ装置１０８は、当該第２のＵＥ装置の送信部２１８及びアンテナ２１２を利用して、第１のＤ２Ｄ通信リンク１１８を介して、要求されたパケットを第１のＵＥ装置１０６に再送信する。
【００３７】
システム１００が、複数の近隣のＵＥ装置が要求されたパケットを再送信することができるように設定されている場合、以下でより十分に論じるように、再送信することを許可される近隣のＵＥ装置の数は、再送信タイムウィンドウの閾値及び／又は期間を調整することによって制御することができる。例えば、閾値を低下させ、かつ／又は再送信時間ウィンドウの期間を増加させることによって、より多くの数の近隣のＵＥ装置が要求されたパケットを再送信することを許可することができる。逆に、閾値を上昇させ、かつ／又は再送信時間ウィンドウの期間を減少させることによって、より少ない数の近隣のＵＥ装置が要求されたパケットを再送信することを許可することができる。
【００３８】
図１に示す例では、第１のＵＥ装置１０６の受信部２１４は、第１のＤ２Ｄ通信リンク１１８を介して第２のＵＥ装置１０８からパケットの再送信を受信するように構成されている。図１に示すように、単一の近隣のＵＥ装置から再送信を受信することは有利であり得る。なぜなら、このようなシステム設定は、要求されたパケットを複数の近隣のＵＥ装置１０８、１１０から再送信する必要がある場合よりも少ないリソースを利用し、伴う複雑さが少ないからである。１つの近隣のＵＥ装置のみが要求されたパケットを確実に再送信するように設定されたシステムでは、第３のＵＥ装置１１０は、第２のＵＥ装置１０８が第１のＵＥ装置１０６に既にパケットを再送信したかどうかを判定するように構成された制御部２１６を含む。第３のＵＥ装置１１０はまた、第２のＵＥ装置１０８が第１のＵＥ装置１０６に既にパケットを再送信したと判定することに応じて、第１のＵＥ装置１０６にパケットを再送信することを控えるように構成された送信部２１８を有する。一例では、第３のＵＥ装置１１０は、第２のＵＥ装置１０８と第１のＵＥ装置１０６との間のＤ２Ｄ通信リンクをリッスンすることによって再送信パケットを受信することにより、第２のＵＥ装置１０８が要求されたパケットを既に再送信したと判定することができる。あるいは、第２のＵＥ装置１０８は、セル１１２内の他の近隣のＵＥ装置に、第２のＵＥ装置１０８が第１のＵＥ装置１０６に要求されたパケットを既に再送信したことを示すメッセージを送信してもよい。更に別の例では、第１のＵＥ装置１０６は、セル１１２内の近隣のＵＥ装置に、第１のＵＥ装置１０６が再送信パケットを正常に受信したことを示すＡＣＫ応答を送信するように設定されてもよい。
【００３９】
逆に、要求されたパケットを複数の近隣のＵＥ装置１０８、１１０から再送信することによって送信ダイバーシティが可能となり、単一の近隣のＵＥ装置からの単一の再送信と比較した場合に第１のＵＥ装置１０６への正常な再送信の確率を高める。要求されたパケットを複数の近隣のＵＥ装置１０８、１１０が再送信するように設定されている場合には、第１のＵＥ装置１０６の受信部２１４は、第３のＵＥ装置１１０と第１のＵＥ装置１０６との間の第２のＤ２Ｄ通信リンク（図示せず）を介して第３のＵＥ装置１１０からパケットの再送信を受信するように設定されている。したがって、第１のＵＥ装置１０６の受信部２１４は、第２のＵＥ装置１０８及び第３のＵＥ装置１１０の両方から、それぞれ第１のＤ２Ｄ通信リンク、第２のＤ２Ｄ通信リンクを介して再送信を受信するように構成されている。
【００４０】
図３は、第１のＵＥ装置が第２のＵＥ装置から再送信を受信する方法の一例のフローチャートである。方法３００は、第１のＵＥ装置１０６がパケットを受信するステップ３０２で始まる。上述したように、ステップ３０４において、第１のＵＥ装置１０６は受信したパケットを復号することを試行する。パケットを復号する試行が成功した場合、第１のＵＥ装置１０６は、復号されたデータを適切な方法で第１のＵＥ装置１０６のユーザに提示する。
【００４１】
一方、パケットを復号する試行が失敗した場合、ステップ３０６において、第１のＵＥ装置１０６は再送信要求を送信する。再送信要求は、１つ又は複数の近隣のＤ２Ｄ  ＵＥ装置へのＤ２Ｄ送信として送信される。当該Ｄ２Ｄ送信としては、（１）Ｄ２Ｄ通信リンクを介したＤ２Ｄ送信、及び／又は（２）Ｄ２Ｄ発見送信を挙げることができる。一部の例では、再送信要求はＮＡＣＫ信号である。再送信要求は、再送信されるパケットのパケット識別子、ＵＥ識別子（ＵＥ  ＩＤ）、近傍サービス識別子（ＰｒｏＳｅ  ＩＤ）、再送信のためのＤ２Ｄリソース位置、及びグループ識別子のうちの１つ又は複数を含み得る。グループ識別子が使用される場合、第２のＵＥ装置１０８の送信部２１８は、第１のＵＥ装置１０６及び第２のＵＥ装置１０８が、再送信要求内で示された特定のグループ識別子によって識別される（例えば、関連付けられた）同一のブロードキャストサービスに関心がある場合にパケットを再送信するように構成され得る。
【００４２】
ステップ３０８において、第２のＵＥ装置１０８は、再送信要求を受信する。ステップ３１０において、第２のＵＥ装置１０８は、１つ又は複数の条件が満たされるかどうかに基づいて、要求されたパケットを第１のＤ２Ｄ通信リンク１１８を介して第１のＵＥ装置１０６に再送信すべきかどうかを判定する。例えば、第２のＵＥ装置１０８は、受信した再送信要求の信号強度を閾値と比較してもよく、信号強度が閾値を超える場合、第２のＵＥ装置１０８は要求されたパケットを第１のＵＥ装置１０６に再送信することとなる。あるいは、又は閾値判定に加えて、第２のＵＥ装置１０８は、再送信要求が再送信時間ウィンドウ内で受信されたかどうかを判定してもよく、再送信要求が再送信タイムウィンドウ内で受信された場合、第２のＵＥ装置１０８は、要求されたパケットを第１のＵＥ装置１０６に再送信することとなる。ステップ３１２において、第１のＵＥ装置１０６は、第１のＤ２Ｄ通信リンク１１８を介して第２のＵＥ装置１０８から、要求されたパケットの再送信を受信する。
【００４３】
図４は、第３のＵＥ装置が第１のＵＥ装置にパケットを再送信すべきかどうかの判定を行う方法の一例のフローチャートである。方法４００は、図３に関連して上述したように、ステップ３０２、ステップ３０４、及びステップ３０６で始まる。ただし、方法４００は、複数の近隣のＵＥ装置１０８、１１０が第１のＵＥ装置１０６から再送信要求を受信するものとする。一部の例では、他の任意の近隣のＵＥ装置が要求されたパケットを既に再送信したかどうかにかかわらず、複数のＵＥ装置が要求されたパケットを再送信することを許可される。これらの例では、各近隣のＵＥ装置１０８、１１０は、Ｄ２Ｄ通信リンクを介して、要求されたパケットを第１のＵＥ装置１０６に再送信すべきかどうかを独自に判定する。したがって、第１のＵＥ装置１０６は、（１）第１のＤ２Ｄ通信リンクを介して第２のＵＥ装置１０８から、要求されたパケットの第１の再送信を受信し、（２）第２のＤ２Ｄ通信リンクを介して第３のＵＥ装置１１０から、要求されたパケットの第２の再送信を受信することができる。
【００４４】
上述のように、要求されたパケットを複数の近隣のＵＥ装置が再送信することを可能にする１つの理由は、第１のＵＥ装置１０６が要求されたパケットの再送信を正常に受信する確率を高める送信ダイバーシティを得ることである。更に、複数の近隣のＵＥ装置からの再送信を可能にすることによって、近隣のＵＥ装置１０８、１１０は、別の近隣のＵＥ装置が既に再送信したか、又は要求されたパケットを再送信しようとしているのかを判定する必要がない。したがって、近隣のＵＥ装置１０８、１１０における処理の複雑さ、及び追加のメッセージ送受信の必要性を低減することができる。それどころか、第１のＵＥ装置１０６が何らかの追加の複雑さを処理する。例えば、第１のＵＥ装置１０６が要求されたパケットを１つの近隣のＵＥ装置から正常に受信する場合、第１のＵＥ装置１０６は同一のパケットの任意の他の再送信を無視してもよい。
【００４５】
しかし、図４に示す例では、システム１００は、１つの近隣のＵＥ装置のみが要求されたパケットを再送信することを可能にするように設定されている。したがって、ステップ４０８では、第２のＵＥ装置１０８が第１のＵＥ装置１０６に既にパケットを再送信したかどうかを判定する。他の近隣のＵＥ装置が第１のＵＥ装置１０６に既にパケットを再送信したかどうかを判定する様々な方法は上述されている。第２のＵＥ装置１０８が第１のＵＥ装置１０６に既にパケットを再送信している場合、ステップ４１０において第３のＵＥ装置１１０は、要求されたパケットを第１のＵＥ装置１０６に再送信することを控える。第２のＵＥ装置１０８が第１のＵＥ装置１０６にパケットを再送信していない場合、第３のＵＥ装置１１０は、要求されたパケットを第１のＵＥ装置１０６に再送信する。ステップ４１２において、第１のＵＥ装置１０６は、第３のＵＥ装置１１０と第１のＵＥ装置１０６との間の第２のＤ２Ｄ通信リンクを介して、要求されたパケットの再送信を受信する。
【００４６】
前述の説明では、単一の近隣のＵＥ装置のみが要求されたパケットを第１のＵＥ装置１０６に再送信することを確実にすることを説明したが、任意の特定数の近隣のＵＥ装置が第１のＵＥ装置１０６にパケットを再送信し、所望の数の近隣のＵＥ装置が第１のＵＥ装置１０６にパケットを再送信した後は、他のすべての近隣のＵＥ装置がパケットを再送信することを控えることを確実にするように、システム１００を変形してもよい。一方、すべての近隣のＵＥ装置がパケットを再送信することが可能である場合、近隣のＵＥ装置がパケットを再送信することを控える必要はなく、他の近隣のＵＥ装置の再送信をモニタするためのプロセスは不要となる。
【００４７】
本発明の他の実施形態及び変更例は、これらの教示を参酌して、明らかに、当業者に容易に創作されるだろう。上述の記載は、例示的であり限定的なものではない。本発明は、上記の明細書及び添付の図面に基づく実施形態及び変更例の全てを含む、以下の請求項によってのみ限定される。したがって、本発明の範囲は、上記の記載を参照して決定されるのではなく、均等物の全範囲と共に添付される請求項を参照して決定されるべきである。
【図１】
2019528593.tif 000003
【図２Ａ】
2019528593.tif 000004
【図２Ｂ】
2019528593.tif 000005
【図３】
2019528593.tif 000006
【図４】
2019528593.tif 000007
【国際調査報告】
2019528593.tif 000008
2019528593.tif 000009